(57)【要約】      （修正有）【課題】配線とコモンモードチョークコイルとの磁気結合を抑制する電力変換装置を提供する。【解決手段】電力変換装置は、半導体スイッチを有する電力変換部９と、対となるコネクタ５１と嵌合しているか否かを検出する手段を備えたコネクタ１と、コネクタ１と電力変換部との間に接続された、一対の巻線を備えたコモンモードチョークコイル５を有するノイズフィルタ７と、コネクタ１で検出された信号を、配線３を介して検知する検知回路１１と、を備える。配線３が、コモンモードチョークコイル５の一方の巻線の第１の端子と第２の端子を結ぶ線と平行に配置されている。【選択図】図１
2020188565.tif 000002
【特許請求の範囲】
【請求項１】
半導体スイッチを有する電力変換部と、
対となるコネクタと嵌合しているか否かを検出する手段を備えたコネクタと、
前記コネクタと前記電力変換部との間に接続された、一対の巻線を備えたコモンモードチョークコイルを有するノイズフィルタと、
前記コネクタで検出された信号を、配線を介して検知する検知回路と、
を備えた電力変換装置であって、
前記配線が、
前記コモンモードチョークコイルの一方の巻線の第１の端子と第２の端子を結ぶ線と平行に配置されている、
ことを特徴とする電力変換装置。
【請求項２】
前記ノイズフィルタは、プリント基板に実装され、
前記配線は、前記プリント基板の基板パターンにより構成されている、
ことを特徴とする請求項１に記載の電力変換装置。
【請求項３】
前記ノイズフィルタは、プリント基板に実装され、
前記配線は、前記コモンモードチョークコイルが実装されていないプリント基板面側に配置されている、
ことを特徴とする請求項１に記載の電力変換装置。
【請求項４】
前記ノイズフィルタが、
金属で形成されたケースで前記電力変換部から遮蔽されている、
ことを特徴とする請求項１に記載の電力変換装置。
【請求項５】
前記配線が、
前記コモンモードチョークコイルの
一方の巻線と他方の巻線との間に配置されている、
ことを特徴とする請求項２または請求項３に記載の電力変換装置。
【請求項６】
前記配線が、
前記コモンモードチョークコイルの巻線の各端子から予め定められた距離以上離して配置されている、
ことを特徴とする請求項２または請求項３に記載の電力変換装置。
【請求項７】
前記配線が、
前記プリント基板の外形輪郭線に沿って配置されている、
ことを特徴とする請求項３に記載の電力変換装置。
【請求項８】
前記配線が、
前記一方の巻線と前記他方の巻線から等距離に配置されている、
ことを特徴とする請求項５に記載の電力変換装置。
【請求項９】
前記予め定められた距離は、
前記コモンモードチョークコイルと前記配線との絶縁を確保している距離である、
ことを特徴とする請求項６に記載の電力変換装置。
【請求項１０】
前記プリント基板は、複数の配線層によって構成されており、
前記複数の配線層は、前記配線と前記コモンモードチョークコイルとの間にグランド層を含む、
ことを特徴とする請求項２、３、５から９のいずれか１項に記載の電力変換装置。
【発明の詳細な説明】
【技術分野】
【０００１】
本願は、電力変換装置に関するものである。
【背景技術】
【０００２】
従来の電力変換装置として、特許文献１に開示されている技術が知られている。特許文献１に記載の電力変換装置は、作業者が入出力端子に触れて発生する事故を防止するために、入出力用端子を有したコネクタに、外部機器のコネクタが接続されているか否かを検出するためのインターロックセンサを備えている。この電力変換装置は、外部機器のコネクタが接続されていないことを検出した場合、検出信号は配線を介して制御回路に伝わり、それを受けて、制御回路は電力変換回路に流れる電流を遮断する。
【０００３】
なお、このインターロックセンサは電子部品で構成されているが、より簡素なインターロック機構として、２本の配線を有したコネクタと、その２本の配線を短絡するための導体を有したコネクタを用いて検出する方法が一般的である（特許文献２参照）。この方法を特許文献１に記載の電力変換装置に適用した場合、入出力端子を有したコネクタには２本の配線、外部機器のコネクタには２本の配線を短絡するための導体が組み込まれた機構となる。
【先行技術文献】
【特許文献】
【０００４】
【特許文献１】特開２０１２−１９１７６６号公報
【特許文献２】特開２０１６−７３０８７号公報
【発明の概要】
【発明が解決しようとする課題】
【０００５】
ところで、電力変換装置は、半導体スイッチング素子のスイッチング動作に伴いノイズを発生するため、例えば、その電力変換回路が、商用電源から供給される電力を直流に変換するＡＣ／ＤＣコンバータである場合、国際規格ＩＥＣ（Ｉｎｔｅｒｎａｔｉｏｎａｌ Ｅｌｅｃｔｒｏｔｅｃｈｎｉｃａｌ Ｃｏｍｍｉｓｓｉｏｎ）が規定しているＩＥＣ６１５８１−２１のノイズの限度値を満たす必要がある。このために、商用電源が接続される入力コネクタと電力変換回路との間には、コモンモードチョークコイルを有したノイズフィルタが接続される。このノイズフィルタは、ノイズフィルタに対する空間結合の影響によってノイズレベルが悪化することを抑制するために、金属で形成されたケースでその他の回路と遮蔽される場合が多い。
【０００６】
電力変換装置に前述のインターロック機構が設けられたものを図１１に示す。図１１に示すように、この電力変換装置は、対となるコネクタ５１のコネクタ端子５２が接続される入力端子２と２本の配線３が組み込まれた入力コネクタ１、コモンモードチョークコイル５と第１のプリント基板４とその基板パターン６で構成されるノイズフィルタ、ノイズフィルタ−電力変換部間端子１４（以降、ノイズフィルタ−電力変換部間端子１４を単にノイズフィルタ出力端子１４と略称することがある）、電力変換回路９と制御回路１０（検知回路１１を含む）と第２のプリント基板８で構成される電力変換部、制御コネクタ１２と制御端子１３、出力コネクタ２０と、出力コネクタ端子２１、を備えている。なお、対となるコネクタ５１には、コネクタ端子５２に加えて、２本の配線３を短絡するための導体５３が組み込まれている。
ここで、２本の配線３は、引き回しスペースを可能な限り小さくするために、制御回路１０まで最短で配線されている。このため、図１１に示すように、２本の配線３は、コモンモードチョークコイル５の巻線５ｂを横切る形態となる。
【０００７】
しかしながら、上記電力変換装置では、２本の配線３とコモンモードチョークコイル５が磁気結合するという課題がある。ここで、コモンモードチョークコイル５の漏れ磁束は、コモンモードチョークコイルにノーマルモードノイズ電流が流れることで発生する。コモンモードチョークコイル５の漏れ磁束が発生している状態での上記電力変換装置の上面図（ノイズフィルタ周辺のみを抜粋）を図１２に示す。
【０００８】
図１２に示すように、破線で示したコモンモードチョークコイルの漏れ磁束１０００ａ、１０００ｂが、２本の配線３が形成するループ面に鎖交しており、これにより、２本の配線３には誘導電流が発生する。その誘導電流は図１１に示した制御回路１０に流れるため、制御回路１０の誤検知、あるいは誤動作が発生し、更に、図１１に示した制御コネクタ１２を介して伝搬するノイズレベルも悪化する。
【０００９】
なお、コモンモードチョークコイルの漏れ磁束１０００ａ、１０００ｂは、コモンモードチョークコイル５に近いほど密度が高いため、２本の配線３とコモンモードチョークコイル５の距離が近いほど磁気結合の影響が大きくなり、本課題が顕著になる。
【００１０】
本課題を解決する手段として、制御回路にノイズ対策部品を追加することも考えられるが、コストアップしてしまうことから、この方法は採用し難い。また、２本の配線３を、コモンモードチョークコイル５から遠ざけて配置する方法も考えられるが、引き回しに必要なスペースを別途確保する必要性が生じることでサイズが増大してしまうため、この方法も使用し難い。
【００１１】
本願は、上記のような課題を解決するための技術を開示するものであって、コネクタが検出した信号を伝送するための配線とコモンモードチョークコイルとの磁気結合が抑制されることにより、電力変換装置における制御回路の誤検知、あるいは誤動作を防止し、且つ、電力変換装置から発生するノイズを抑制することが可能な、小型で安価な電力変換装置を提供することを目的とする。
【課題を解決するための手段】
【００１２】
本願に開示される電力変換装置は、
半導体スイッチを有する電力変換部と、
対となるコネクタと嵌合しているか否かを検出する手段を備えたコネクタと、
前記コネクタと前記電力変換部との間に接続された、
一対の巻線を備えたコモンモードチョークコイルを有するノイズフィルタと、
前記コネクタで検出された信号を、配線を介して検知する検知回路と、
を備えた電力変換装置であって、
前記配線は、前記コモンモードチョークコイルの一方の巻線の第１の端子と第２の端子を結ぶ線と平行に配置されているものである。
【発明の効果】
【００１３】
本願に開示される電力変換装置によれば、コネクタが検出した信号を伝送するための配線とコモンモードチョークコイルとの磁気結合が抑制されることにより、電力変換装置における制御回路の誤検知、あるいは誤動作を防止し、且つ、電力変換装置から発生するノイズを抑制することが可能な、小型で安価な電力変換装置を提供することが可能となる。
【図面の簡単な説明】
【００１４】
【図１】実施の形態１に係る電力変換装置の一例を示す平面図である。
【図２】図１のＡＡ断面図である。
【図３】実施の形態１に係る電力変換回路と制御回路の一例を示す図である。
【図４】コモンモードチョークコイルの漏れ磁束が発生した状態での図１の電力変換装置の一部を示した説明図である。
【図５】図４の電力変換装置の配線位置を変えた第一の例を示す説明図である。
【図６】図４の電力変換装置の配線位置を変えた第二の例を示す説明図である。
【図７】実施の形態２に係る電力変換装置の一例を示す説明図である。
【図８】図７のＡ矢視図である。
【図９】実施の形態３に係る電力変換装置の一例を示す説明図である。
【図１０】図９のＡ矢視図である。
【図１１】インターロック機構が設けられた電力変換装置の一例を示す図である。
【図１２】コモンモードチョークコイルの漏れ磁束が配線の形成するループ面に鎖交している状態の一例を示す図である。
【発明を実施するための形態】
【００１５】
実施の形態１．
以下、本願の実施の形態１による電力変換装置について説明する。図１は、本実施の形態１に係る電力変換装置の一例を示す平面図である。また、本実施の形態１に係る電力変換装置の断面図（図１のＡＡ断面図）を図２に示す。
【００１６】
図１、２に示すように、実施の形態１に係る電力変換装置は、嵌合の際に対として使用されるコネクタ５１と、的確に嵌合しているか否かを検出する手段を備えた入力コネクタ１を有する。入力コネクタ１には、上述の対となるコネクタ５１のコネクタ端子５２と接続される入力端子２に加えて、２本の配線３が組み込まれている。入力コネクタ１と、上記対となるコネクタ５１とが、的確に嵌合しているか否かを検出する手段として、対となるコネクタ５１には２本の配線３を短絡するための導体５３が組み込まれており、入力コネクタ１の２本の配線３が開放状態であるか、または、短絡状態であるかを検出することにより、嵌合の有無を検出するインターロック機構となっている。この入力コネクタ１の入力端子２は、後段に配置されているノイズフィルタ７と接続されている。
【００１７】
ノイズフィルタ７は、図１、２に示すように、第１のプリント基板４と、コモンモードチョークコイル５で構成されている。コモンモードチョークコイル５は、基板パターン６を介して入力端子２と接続されており、また、基板パターン６とノイズフィルタ−電力変換部間端子１４（ノイズフィルタ出力端子１４）を介して後段の電力変換部と接続されている。
【００１８】
電力変換部は、図１、２に示すように、電力変換回路９と制御回路１０で構成されている。この実施の形態１に係る電力変換回路９と制御回路１０の一例を図３に示す。この電力変換回路９は、図３に示すように、ＡＣ／ＤＣコンバータ１００とＤＣ／ＤＣコンバータ２００から成る。ＡＣ／ＤＣコンバータ１００は、第１のダイオードブリッジ１０３、第１のリアクトル１０２、半導体スイッチング素子としての第１のＭＯＳＦＥＴ１０３、整流ダイオード１０４で構成されている。
【００１９】
ＡＣ／ＤＣコンバータ１００において、第１のダイオードブリッジ１０１は、図示しない商用電源に接続されて、商用電源から入力される交流を全波整流する。第１のダイオードブリッジ１０１内には、ブリッジ接続された複数のダイオード（図示省略）が設けられている。また、第１のダイオードブリッジ１０１には、第１のＭＯＳＦＥＴ１０３が並列接続されている。また、第１のダイオードブリッジ１０１と第１のＭＯＳＦＥＴ１０３のドレイン端子との間の正側電力ラインに、第１のリアクトル１０２が直列接続されている。
【００２０】
また、第１のＭＯＳＦＥＴ１０３のドレイン端子には、整流ダイオード１０４のアノード端子が接続されている。整流ダイオード１０４のカソード端子には、正側電力ラインを介して、第１の平滑コンデンサ３００の正側端子が接続されている。また、第１のＭＯＳＦＥＴ１０３のソース端子には、負側電力ラインを介して、第１の平滑コンデンサ３００の負側端子が接続されている。
【００２１】
ＡＣ／ＤＣコンバータ１００は、このように構成され、交流／直流変換を行う。具体的には、ＡＣ／ＤＣコンバータ１００は、商用電源の交流電圧を直流電圧に変換する。
【００２２】
第１の平滑コンデンサ３００は、ＡＣ／ＤＣコンバータ１００からの直流出力を平滑する。第１の平滑コンデンサ３００の後段には、ＤＣ／ＤＣコンバータ２００が接続され、その後段には、負荷が接続されている。
【００２３】
ＤＣ／ＤＣコンバータ２００は、第２のＭＯＳＦＥＴ２０１ａ、第３のＭＯＳＦＥＴ２０１ｂ、第４のＭＯＳＦＥＴ２０１ｃ、第５のＭＯＳＦＥＴ２０１ｄ、トランス２０２、第２のダイオードブリッジ２０３、第２のリアクトル２０４、平滑コンデンサ２０５で構成されている。
【００２４】
ＤＣ／ＤＣコンバータ２００において、４つのＭＯＳＦＥＴ、すなわち、第２のＭＯＳＦＥＴ２０１ａ、第３のＭＯＳＦＥＴ２０１ｂ、第４のＭＯＳＦＥＴ２０１ｃ、第５のＭＯＳＦＥＴ２０１ｄは、フルブリッジ回路を構成している。すなわち、第２のＭＯＳＦＥＴ２０１ａのソース端子と第３のＭＯＳＦＥＴ２０１ｂのドレイン端子とが直列接続され、同様に、第４のＭＯＳＦＥＴ２０１ｃのソース端子と第５のＭＯＳＦＥＴ２０１ｄのドレイン端子とが直列接続されている。
【００２５】
また、第２のＭＯＳＦＥＴ２０１ａのドレイン端子と第４のＭＯＳＦＥＴ２０１ｃのドレイン端子とが接続され、同様に、第３のＭＯＳＦＥＴ２０１ｂのソース端子と第５のＭＯＳＦＥＴ２０１ｄのソース端子とが接続されている。このように構成されたフルブリッジ回路は、第１の平滑コンデンサ３００に並列接続されており、第１の平滑コンデンサ３００の直流電圧を交流電圧に変換する。
【００２６】
トランス２０２の一次側には、第２のＭＯＳＦＥＴ２０１ａと第３のＭＯＳＦＥＴ２０１ｂとの接続点と、第４のＭＯＳＦＥＴ２０１ｃと第５のＭＯＳＦＥＴ２０１ｄとの接続点が接続されている。トランス２０２の二次側には、第２のダイオードブリッジ２０３が接続されている。第２のダイオードブリッジ２０３内には、ブリッジ接続された複数のダイオードが設けられている。第２のダイオードブリッジ２０３の出力には、出力平滑用の第２のリアクトル２０４と平滑コンデンサ２０５とが接続され、負荷へ直流電圧が出力される。
【００２７】
ＤＣ／ＤＣコンバータ２００は、このように構成され、直流／直流変換を行う。具体的には、ＤＣ／ＤＣコンバータ２００は、第１の平滑コンデンサ３００の電圧をトランス２０２で絶縁された二次側直流電圧に変換して、負荷に対して出力する。
【００２８】
ここで、ＡＣ／ＤＣコンバータ１００とＤＣ／ＤＣコンバータ２００は、電圧センサ１０ａ、１０ｄ、１０ｆ、及び、電流センサ１０ｂ、１０ｇの検出値に基づき、制御回路１０によってＰＷＭ制御される。
【００２９】
また、電力変換回路９と制御回路１０の構成部品は、図１、２に示すように、第２のプリント基板８に実装される。なお、ＭＯＳＦＥＴ等、発熱により冷却が必要となる部品については、ケース２２に組み付けられ、リード配線等を介して第２のプリント基板８に実装された部品、及び、基板パターンと接続される。また、制御回路１０は、入力コネクタ１と、嵌合の際、対となるコネクタ５１が、嵌合しているか否かを検出する信号を検知する検知回路１１を備えている。この検出信号は、２本の配線３を介して伝送される。
【００３０】
ここで、制御回路１０を動作させるための電源は、制御コネクタ１２の制御端子１３を介して供給される。例えば、実施の形態１に係る電力変換装置が、電気自動車、あるいはプラグインハイブリッド自動車等に搭載される車載機器である場合、制御回路１０を動作させるための電源は、鉛畜バッテリから供給される。
【００３１】
また、この場合、制御端子１３には、制御回路１０を動作させるための電源配線に加えて、電気自動車、あるいはプラグインハイブリッド自動車等に搭載されている、その他の車載機器と通信するための信号配線も組み込まれる。この電力変換回路９は、後段に配置される、出力コネクタ端子２１を備えた出力コネクタ２０を介して、負荷に接続される。
【００３２】
ここで、ノイズフィルタと電力変換部は、図１、２に示すように、ケース２２で遮蔽されている。このように、ノイズフィルタと電力変換回路９をケース２２で遮蔽することで、ノイズフィルタと電力変換回路９の空間結合が抑制され、入力コネクタ１に伝搬するノイズレベルの悪化を防止することができる。
【００３３】
また、２本の配線３は、図１、２に示すように、コモンモードチョークコイル５が実装されていないプリント基板面で引き回され、検知回路１１と接続されている。この様に、２本の配線３をコモンモードチョークコイル５が実装されていないプリント基板面で引き回すことで、部品の非実装面が有効活用され、引き回しに要するスペースを小さくすることが可能となり、さらに、２本の配線３をプリント基板平面上に沿って安定に配置することができる。
【００３４】
なお、ノイズフィルタを通る２本の配線３は、第１のプリント基板４の基板パターンで形成することも可能であり、それにより、引き回しに要するスペースを更に小さくすることが可能となり、また、２本の配線３の配置安定性に関する考慮が不要となる。
【００３５】
ここで、この２本の配線３は、ノイズフィルタのインピーダンス素子として機能するコモンモードチョークコイル５の巻線５ａの第１の巻線端子５ｃと第２の巻線端子５ｄを結ぶ線５ｇと、平行に配置され、且つ、コモンモードチョークコイル５の巻線５ａの第１の巻線端子５ｃと巻線５ｂの第３の巻線端子５ｅの中間、及び、コモンモードチョークコイル５の巻線５ａの第２の巻線端子５ｄと巻線５ｂの第４の巻線端子５ｆの中間を通るように配置されている。
【００３６】
以下、上記のように構成した実施の形態１による電力変換装置において、制御回路１０の誤検知、あるいは誤動作、更に、電力変換装置から発生するノイズの抑制原理について、図を用いて説明する。まず、コモンモードチョークコイル５の漏れ磁束が発生した状態における図１の電力変換装置の一例である電力変換装置のノイズフィルタ周辺のみを抜粋した説明図を図４に示す。
【００３７】
図４に示すように、２本の配線３は、コモンモードチョークコイル５の巻線５ａの第１の巻線端子５ｃと第２の巻線端子５ｄを結ぶ線５ｇと平行に配置されているため、破線で示されたコモンモードチョークコイル５の漏れ磁束１０００ａ、１０００ｂは、２本の配線３が形成するループ面に鎖交しない。これにより、２本の配線３とコモンモードチョークコイル５は磁気結合を起こさず、２本の配線３にも誘導電流が発生しないため、制御回路１０の誤検知、あるいは誤動作、及び、制御コネクタ１２等を介して伝搬するノイズを抑制することが可能となる。
【００３８】
なお、２本の配線３が配置されているコモンモードチョークコイル５の巻線５ａと巻線５ｂとの間の領域は、コモンモードチョークコイル５の漏れ磁束が少なく、さらに、コモンモードチョークコイル５の第１の巻線端子５ｃと第３の巻線端子５ｅの中間、及び、第２の巻線端子５ｄと第４の巻線端子５ｆとの中間、特に巻線５ａと巻線５ｂから等距離の線に沿って配置されている場合には、コモンモードチョークコイル５の漏れ磁束は、線５ｇ及び２本の配線３と平行に分布するため、より一層、２本の配線３とコモンモードチョークコイル５の磁気結合を抑制することが可能となる。
【００３９】
なお、実施の形態１の電力変換装置では、２本の配線３がコモンモードチョークコイル５の第１の巻線端子５ｃと第３の巻線端子５ｅの中間、及び、第２の巻線端子５ｄと第４の巻線端子５ｆの中間を通るように引き回されているが、図５に示すように、２本の配線３をコモンモードチョークコイル５の巻線端子である第１の巻線端子５ｃから第４の巻線端子５ｆの外側に配置し、且つ、２本の配線３とコモンモードチョークコイル５を所定の距離Ｌ以上離すことでも、同様の効果が得られる。
この場合、所定の距離Ｌを、２本の配線３とコモンモードチョークコイル５の絶縁距離を確保するために必要な距離とすることで、２本の配線３とコモンモードチョークコイル５の絶縁距離を確保しつつ、２本の配線３とコモンモードチョークコイル５の電磁結合を抑制することが可能になる。
【００４０】
なお、実施の形態１の電力変換装置では、２本の配線３がコモンモードチョークコイル５の第１の巻線端子５ｃと第３の巻線端子５ｅの中間、及び、第２の巻線端子５ｄと第４の巻線端子５ｆの中間を通るように引き回されているが、図６に示すように、２本の配線３を第１のプリント基板端、すなわち第１のプリント基板の外形輪郭線に沿って配置することでも、同様の効果が得られる。
【００４１】
このように、２本の配線３を第１のプリント基板４の外形輪郭線に沿って配置する形態とすることで、２本の配線３は、コモンモードチョークコイル５の巻線５ａの第１の巻線端子５ｃと第２の巻線端子５ｄの中心を結ぶ線５ｇと、必然的に平行に配置されることになるため、２本の配線３の配置及び実装が容易になる。
【００４２】
実施の形態２．
次に、実施の形態２による電力変換装置について図７、図８を用いて説明する。図７は、本実施の形態２に係る電力変換装置の一例を示す図であり、電力変換装置のノイズフィルタ周辺のみを抜粋した図である。また、図８は、図７のＡ矢視図である。
【００４３】
実施の形態１の電力変換装置では、ノイズフィルタは１層から成る第１のプリント基板４を前提として説明したが、本実施の形態２の電力変換装置では、図８に示すように、ノイズフィルタは配線層が２層以上の第１のプリント基板４ａで構成されている。
【００４４】
この実施の形態２による電力変換装置においては、図８に示したように、２本の配線３とコモンモードチョークコイル５との間にグランド層６０（ケース２２と電気的に接続されている層。ＧＮＤ層とも略称する）を設けることで、グランド層６０がシールドの役割を果たし、２本の配線３に対するコモンモードチョークコイル５の漏れ磁束による影響を低減することができる。
【００４５】
実施の形態３．
さらに、実施の形態３による電力変換装置について図９、図１０を用いて説明する。図９は、本実施の形態３に係る電力変換装置の一例を示す図であり、電力変換装置のノイズフィルタ周辺のみを抜粋した図である。また、図１０は、図９のＡ矢視図である。
【００４６】
実施の形態１の電力変換装置では、ノイズフィルタは１層から成る第１のプリント基板４を前提として説明したが、本実施の形態３の電力変換装置では、図１０に示すように、ノイズフィルタは配線層が４層以上の第１のプリント基板４ｂで構成されている。
【００４７】
この実施の形態３による電力変換装置においては、図１０に示したように、２本の配線３を基板パターンで形成し、基板パターンで形成された２本の配線３とコモンモードチョークコイル５との間に、グランド層６０（ケース２２と電気的に接続）とすることでも、グランド層がシールドの役割を果たし、２本の配線３に対するコモンモードチョークコイル５の漏れ磁束による影響を低減することができる。
【００４８】
本願は、様々な例示的な実施の形態及び実施例が記載されているが、１つ、または複数の実施の形態に記載された様々な特徴、態様、及び機能は特定の実施の形態の適用に限られるのではなく、単独で、または様々な組み合わせで実施の形態に適用可能である。
従って、例示されていない無数の変形例が、本願明細書に開示される技術の範囲内において想定される。例えば、少なくとも１つの構成要素を変形する場合、追加する場合または省略する場合、さらには、少なくとも１つの構成要素を抽出し、他の実施の形態の構成要素と組み合わせる場合が含まれるものとする。
【符号の説明】
【００４９】
１  入力コネクタ、２  入力端子、３  配線、４、４ａ、４ｂ  第１のプリント基板、５  コモンモードチョークコイル、５ａ、５ｂ  巻線、５ｃ  第１の巻線端子、５ｄ  第２の巻線端子、５ｅ  第３の巻線端子、５ｆ  第４の巻線端子、５ｇ  線、６  基板パターン、７  ノイズフィルタ、８  第２のプリント基板、９  電力変換回路、１０  制御回路、１１  検知回路、１２  制御コネクタ、１３  制御端子、１４  ノイズフィルタ−電力変換部間端子（ノイズフィルタ出力端子）、２０  出力コネクタ、２１  出力コネクタ端子、２２  ケース、５１  コネクタ、５２  コネクタ端子、５３  導体
【図１】
2020188565.tif 000003
【図２】
2020188565.tif 000004
【図３】
2020188565.tif 000005
【図４】
2020188565.tif 000006
【図５】
2020188565.tif 000007
【図６】
2020188565.tif 000008
【図７】
2020188565.tif 000009
【図８】
2020188565.tif 000010
【図９】
2020188565.tif 000011
【図１０】
2020188565.tif 000012
【図１１】
2020188565.tif 000013
【図１２】
2020188565.tif 000014